(57)【特許請求の範囲】
【請求項１】
刷版（Ｈ）におけるスクリーン（Ｓ）に付着したインキを除去するためのスクリーンインキ洗浄機であって、
前記スクリーン（Ｓ）に沿って移動可能に構成され、スクリーン（Ｓ）に対して凹状に形成された洗浄部（１ａ）を有する洗浄ヘッド（１）と、
この洗浄ヘッド（１）の洗浄部（１ａ）に連通された容器（２）と、
前記洗浄ヘッド（１）の洗浄部（１ａ）に連通され、前記容器（２）に蓄えられた洗浄剤（Ｌ）を洗浄部（１ａ）を介して吸引するポンプ（３）とを備え、
前記洗浄ヘッド（１）は、インキを乗せるスクリーン（Ｓ）の表面（Ｓ１）側と、同スクリーン（Ｓ）の裏面（Ｓ２）側とに配置され、
前記洗浄ヘッド（１）は、該洗浄ヘッド（１）を前記スクリーン（Ｓ）に接触させた状態で前記ポンプ（３）により洗浄部（１ａ）内を吸引して負圧を発生させることで、前記スクリーン（Ｓ）に吸着することを特徴とするスクリーンインキ洗浄機。
【請求項２】
刷版（Ｈ）におけるスクリーン（Ｓ）に付着したインキを除去するためのスクリーンインキ洗浄機であって、
前記スクリーン（Ｓ）に沿って移動可能に構成され、スクリーン（Ｓ）に対して凹状に形成された洗浄部（１ａ）を有する洗浄ヘッド（１）と、
この洗浄ヘッド（１）の洗浄部（１ａ）に連通された容器（２）と、
前記洗浄ヘッド（１）の洗浄部（１ａ）に連通され、前記容器（２）に蓄えられた洗浄剤（Ｌ）を洗浄部（１ａ）を介して吸引するポンプ（３）とを備え、
前記洗浄ヘッド（１）は、インキを乗せるスクリーン（Ｓ）の表面（Ｓ１）側と、同スクリーン（Ｓ）の裏面（Ｓ２）側とに配置され、
前記スクリーン（Ｓ）の表面（Ｓ１）側の洗浄ヘッド（１）の吸引圧力を、同スクリーン（Ｓ）の裏面（Ｓ２）側の洗浄ヘッド（１）の吸引圧力より低く設定したことを特徴とするスクリーンインキ洗浄機。
【請求項３】
容器（２）及びポンプ（３）は、スクリーン（Ｓ）の表面（Ｓ１）側及び裏面（Ｓ２）側の洗浄ヘッド（１）に対して個々に設けられていることを特徴とする請求項１または２記載のスクリーンインキ洗浄機。
【請求項４】
スクリーン（Ｓ）の表面（Ｓ１）側の容器（２）と、同スクリーン（Ｓ）の裏面（Ｓ２）側の容器（２）とを接続し、各容器（２）内の洗浄剤（Ｌ）の移動を可能にする流路（２ａ）を設けたことを特徴とする請求項３記載のスクリーンインキ洗浄機。
【請求項５】
スクリーン（Ｓ）の表面（Ｓ１）側の洗浄ヘッド（１）の吸引圧力を、同スクリーン（Ｓ）の裏面（Ｓ２）側の洗浄ヘッド（１）の吸引圧力より低く設定したことを特徴とする請求項１，３，４のいずれか１項に記載のスクリーンインキ洗浄機。
【請求項６】
スクリーン（Ｓ）の表面（Ｓ１）側及び裏面（Ｓ２）側の各洗浄ヘッド（１）は、同一の横方向移動手段（７）を介して横方向に移動し、かつ同一の縦方向移動手段（１２ｄ）を介して縦方向に移動するように構成されていることを特徴とする請求項１ないし５のいずれか１項に記載のスクリーンインキ洗浄機。
【発明の詳細な説明】
【０００１】
【発明の属する技術分野】
この発明は、スクリーン印刷における刷版のスクリーンに付着したインキを除去するためのスクリーンインキ洗浄機に関するものである。
【０００２】
【従来の技術】
スクリーン印刷における刷版は、通常、四角形の枠材にスクリーンを所定の張力で張ったもので構成されている。スクリーンは、シルクやナイロン等の繊維を布状に織ったもので構成されており、印刷部以外の部分をソルダレジストで覆われたものとなっている。
【０００３】
従って、スクリーン印刷においては、スクリーンの表面にインキを乗せ、このインキをスキージで適度な圧力を掛けながら移動することにより、ソルダレジスト以外の部分からインキを押し出して、印刷対象物に印刷している。
【０００４】
また、スクリーン上のインキを取り除くには、まずスクリーン上から余分なインキをヘラ等で取り除いた後、残ったインキをシンナー等の有機溶剤からなる洗浄剤を用いてウエスで拭き取ることによって行っている。
【０００５】
ただし、大きな刷版になると、人力によってインキを拭き取るのが困難になるという問題がある。このため、洗浄剤を吹き付けてスクリーンを洗浄するスクリーンインキ洗浄機や、洗浄剤を溜めたプール内に刷版を入れて超音波により洗浄するスクリーンインキ洗浄機等が開発されてきている。
【０００６】
【発明が解決しようとする課題】
ところが、上述した洗浄剤を吹き付ける構造のスクリーンインキ洗浄機においては、有機溶剤の洗浄剤がミストとなって飛散するため、作業環境が悪化すると共に、火災の危険もあるという問題があった。
【０００７】
また、洗浄剤を溜めたプールに刷版を入れて超音波により洗浄する構造のスクリーンインキ洗浄機においては、大きな刷版を入れるための平面的に大きな広がりを有するプールが必要であると共に、多くの洗浄剤が必要になるという問題があった。
【０００８】
この発明は上述した問題を解決するためになされたものであり、大きな刷版についても簡単にインキを取り除くことができ、かつ作業環境の向上、防火性の向上、設置面積の低減、洗浄剤の使用量の低減、洗浄作業の省力化を図ることのできるスクリーンインキ洗浄機を提供することを課題としている。
【０００９】
【課題を解決するための手段】
上記課題を解決するために、請求項１記載の発明は、刷版（Ｈ）におけるスクリーン（Ｓ）に付着したインキを除去するためのスクリーンインキ洗浄機であって、前記スクリーン（Ｓ）に沿って移動可能に構成され、スクリーン（Ｓ）に対して凹状に形成された洗浄部（１ａ）を有する洗浄ヘッド（１）と、この洗浄ヘッド（１）の洗浄部（１ａ）に連通された容器（２）と、前記洗浄ヘッド（１）の洗浄部（１ａ）に連通され、前記容器（２）に蓄えられた洗浄剤（Ｌ）を洗浄部（１ａ）を介して吸引するポンプ（３）とを備え、前記洗浄ヘッド（１）は、インキを乗せるスクリーン（Ｓ）の表面（Ｓ１）側と、同スクリーン（Ｓ）の裏面（Ｓ２）側とに配置され、前記洗浄ヘッド（１）は、該洗浄ヘッド（１）を前記スクリーン（Ｓ）に接触させた状態で前記ポンプ（３）により洗浄部（１ａ）内を吸引して負圧を発生させることで、前記スクリーン（Ｓ）に吸着することを特徴としている。
【００１０】
請求項２記載の発明は、刷版（Ｈ）におけるスクリーン（Ｓ）に付着したインキを除去するためのスクリーンインキ洗浄機であって、前記スクリーン（Ｓ）に沿って移動可能に構成され、スクリーン（Ｓ）に対して凹状に形成された洗浄部（１ａ）を有する洗浄ヘッド（１）と、この洗浄ヘッド（１）の洗浄部（１ａ）に連通された容器（２）と、前記洗浄ヘッド（１）の洗浄部（１ａ）に連通され、前記容器（２）に蓄えられた洗浄剤（Ｌ）を洗浄部（１ａ）を介して吸引するポンプ（３）とを備え、前記洗浄ヘッド（１）は、インキを乗せるスクリーン（Ｓ）の表面（Ｓ１）側と、同スクリーン（Ｓ）の裏面（Ｓ２）側とに配置され、前記スクリーン（Ｓ）の表面（Ｓ１）側の洗浄ヘッド（１）の吸引圧力を、同スクリーン（Ｓ）の裏面（Ｓ２）側の洗浄ヘッド（１）の吸引圧力より低く設定したことを特徴としている。
【００１２】
請求項３記載の発明は、請求項１または２記載の発明において、容器（２）及びポンプ（３）は、スクリーン（Ｓ）の表面（Ｓ１）側及び裏面（Ｓ２）側の洗浄ヘッド（１）に対して個々に設けられていることを特徴としている。
【００１３】
請求項４記載の発明は、請求項３記載の発明において、スクリーン（Ｓ）の表面（Ｓ１）側の容器（２）と、同スクリーン（Ｓ）の裏面（Ｓ２）側の容器（２）とを接続し、各容器（２）内の洗浄剤（Ｌ）の移動を可能にする流路（２ａ）を設けたことを特徴としている。
【００１４】
請求項５記載の発明は、請求項１，３，４のいずれか１項に記載の発明において、スクリーン（Ｓ）の表面（Ｓ１）側の洗浄ヘッド（１）の吸引圧力を、同スクリーン（Ｓ）の裏面（Ｓ２）側の洗浄ヘッド（１）の吸引圧力より低く設定したことを特徴としている。
【００１５】
請求項６記載の発明は、請求項１ないし５のいずれか１項に記載の発明において、スクリーン（Ｓ）の表面（Ｓ１）側及び裏面（Ｓ２）側の各洗浄ヘッド（１）は、同一の横方向移動手段（７）を介して横方向に移動し、かつ同一の縦方向移動手段（１２ｄ）を介して縦方向に移動するように構成されていることを特徴としている。
【００１６】
そして、上記のように構成された請求項１記載の発明においては、スクリーン（Ｓ）上の余分なインキをヘラ等で取り除いた後、洗浄ヘッド（１）をスクリーン（Ｓ）に接触させる。この状態で、ポンプ（３）で吸引すると、洗浄部（１ａ）が負圧になるため、洗浄ヘッド（１）とスクリーン（Ｓ）とが吸着した状態になると共に、容器（２）に蓄えられた洗浄剤（Ｌ）が洗浄部（１ａ）に吸い上げられ、同洗浄部（１ａ）を通ってポンプ（３）へと流れる。このため、ポンプ（３）の稼働中に、洗浄ヘッド（１）をスクリーン（Ｓ）に沿って移動することにより、その移動した部分のインキを洗浄部（１ａ）に充満しながら流れ去る洗浄剤（Ｌ）できれいに洗い流すことができる。従って、大きな刷版（Ｈ）であっても、そのスクリーン（Ｓ）に付着したインキを簡単に、かつきれいに取り除くことができる。よって、洗浄作業の省力化を図ることができる。
【００１７】
しかも、ポンプ（３）によって生じた負圧によって洗浄剤（Ｌ）を洗浄部（１ａ）に供給しているので、この洗浄剤（Ｌ）が洗浄部（１ａ）の位置で大気側に漏れるおそれが極めて少ない。従って、洗浄剤（Ｌ）によって、作業環境が悪化したり、火災の危険が生じたりするのを防止する能力が向上する。即ち、作業環境の向上及び防火性の向上を図ることができる。
【００１８】
更に、スクリーン（Ｓ）の面を垂直に立てた状態で、同スクリーン（Ｓ）の面を洗浄することができるので、設置面積の低減を図ることができる。そして、スクリーン（Ｓ）の面を洗浄するのに必要十分な洗浄剤（Ｌ）を洗浄部（１ａ）に供給するだけでよいので、洗浄剤（Ｌ）の使用量の低減を図ることができる。
【００２０】
また、洗浄ヘッド（１）がインキを乗せるスクリーン（Ｓ）の表面（Ｓ１）側と、同スクリーン（Ｓ）の裏面（Ｓ２）側とに配置されているので、スクリーン（Ｓ）の表面（Ｓ１）と裏面（Ｓ２）とを同時に洗浄することができる。従って、洗浄時間の短縮を図ることができる。しかも、洗浄時に、スクリーン（Ｓ）におけるインキの通過する部分から空気を吸い込むことがなくなるので、洗浄部（１ａ）の負圧を一定に保つことができ、洗浄ムラが生じるのを防止することができる。更に、洗浄ヘッド（１）からスクリーン（Ｓ）の表面（Ｓ１）及び裏面（Ｓ２）に作用する押圧力が釣り合うと共に、洗浄部（１ａ）からスクリーン（Ｓ）の表面（Ｓ１）及び裏面（Ｓ２）に作用する吸引圧力が釣り合うので、スクリーン（Ｓ）に無理な力が作用しなくなるという利点がある。
【００２１】
請求項３記載の発明においては、容器（２）及びポンプ（３）がスクリーン（Ｓ）の表面（Ｓ１）側及び裏面（Ｓ２）側の洗浄ヘッド（１）に個々に設けられているので、スクリーン（Ｓ）の表面（Ｓ１）側における洗浄ヘッド（１）、容器（２）及びポンプ（３）の合計重量と、同スクリーン（Ｓ）の裏面（Ｓ２）側における洗浄ヘッド（１）、容器（２）及びポンプ（３）の合計重量とをバランスさせることができる。従って、表面（Ｓ１）側及び裏面（Ｓ２）側の各洗浄ヘッド（１）をスクリーン（Ｓ）に沿ってバランスよく移動させることができる。
【００２２】
請求項４記載の発明においては、スクリーン（Ｓ）の表面（Ｓ１）側及び裏面（Ｓ２）側の各容器（２）内の洗浄剤（Ｌ）の移動を可能にする流路（２ａ）を設けているので、一方の容器（２）の洗浄剤（Ｌ）の使用量が多い場合でも、これらの容器（２）の洗浄剤（Ｌ）の液面を同じように保つことができる。従って、一方の容器（２）内の洗浄剤（Ｌ）がなくなることによって、洗浄が中断されてしまうような不具合を防止することができる。
【００２３】
請求項２または５記載の発明においては、スクリーン（Ｓ）の表面（Ｓ１）側の洗浄ヘッド（１）の吸引圧力を裏面（Ｓ２）側の洗浄ヘッド（１）の吸引圧力より低く設定しているので、表面（Ｓ１）側の洗浄ヘッド（１）への洗浄剤（Ｌ）の供給量が多くなり、裏面（Ｓ２）側の洗浄ヘッド（１）への洗浄剤（Ｌ）の供給量が少なくなる。従って、インキの付着の多いスクリーン（Ｓ）の表面（Ｓ１）を多くの洗浄剤（Ｌ）により能率よく洗浄することができ、インキの付着の少ないスクリーン（Ｓ）の裏面（Ｓ２）を少ない洗浄剤（Ｌ）により無駄なく洗浄することができる。即ち、洗浄速度の向上及び洗浄コストの低減を図ることができる。
【００２４】
更に、表面（Ｓ１）側の吸引圧力が低く設定されているので、汚れの少ない裏面（Ｓ２）側の洗浄剤（Ｌ）がインキの通過可能な部分を通って表面（Ｓ１）側に流入することになる。即ち、汚れの多い表面（Ｓ１）側の洗浄剤（Ｌ）がインキの通過可能な部分を通って裏面（Ｓ２）側に流れるのを防止することができる。従って、裏面（Ｓ２）側の洗浄剤（Ｌ）が汚れるのを防止することができると共に、この裏面（Ｓ２）側の汚れの少ない洗浄剤（Ｌ）によってスクリーン（Ｓ）における特に重要なインキ通過部分をきれいに洗浄することができる。
【００２５】
請求項６記載の発明においては、スクリーン（Ｓ）の表面（Ｓ１）側及び裏面（Ｓ２）側の各洗浄ヘッド（１）を、同一の横方向移動手段（７）を介して横方向に移動し、かつ同一の縦方向移動手段（１２ｄ）を介して縦方向に移動することができるので、各洗浄ヘッド（１）を完全に同期させながら横方向（左右方向）及び縦方向（上下方向）に移動することができる。なお、横方向移動手段（７）及び縦方向移動手段（１２ｄ）を同時に作動させることによって、各洗浄ヘッド（１）を、斜めに移動させたり、曲線を描くように移動させたりすることもできる。即ち、スクリーン（Ｓ）における洗浄に必要な部分を効率良く洗浄することができる。
【００２６】
【発明の実施の形態】
以下、この発明の実施の形態を実施例に基づき図１〜図１０を参照して説明する。
【００２７】
まず、この発明の第１実施例について図１〜図５を参照して説明する。この実施例のスクリーンインキ洗浄機ＳＷは、刷版ＨのスクリーンＳに付着したインキを除去するためのものであって、スクリーンＳに沿って移動可能に構成され、スクリーンＳに対して凹状に形成された洗浄部１ａを有する洗浄ヘッド１と、この洗浄ヘッド１の洗浄部１ａに洗浄剤（有機溶剤）Ｌを供給するために、同洗浄部１ａに連通された容器２と、洗浄ヘッド１の洗浄部１ａに連通され、容器２に蓄えられた洗浄剤Ｌを洗浄部１ａを介して吸引するポンプ３とを備えている。
【００２８】
そして、洗浄ヘッド１は、インキを乗せるスクリーンＳの表面Ｓ１側と、スクリーンＳの裏面Ｓ２側とに配置されている。更に、容器２及びポンプ３は、スクリーンＳの表面Ｓ１側及び裏面Ｓ２側の洗浄ヘッド１に個々に接続されている。また、スクリーンＳの表面Ｓ１側の容器２と、スクリーンＳの裏面Ｓ２側の容器２とを接続し、各容器２、２内の洗浄剤Ｌの移動を可能にする流路としての連結管２ａを備えている。そして更に、スクリーンＳの表面Ｓ１側の洗浄ヘッド１の吸引圧力を、スクリーンＳの裏面Ｓ１側の洗浄ヘッド１の吸引圧力より低く設定した構成になっている。
【００２９】
以下、上記構成について更に詳細に説明する。刷版Ｈは、図１、図２、図５に示すように、四角形状に形成された枠材Ｆと、この枠材Ｆの裏面に所定の張力で平面状に貼り付けたスクリーンＳとを備えている。枠材Ｆは断面四角形状の棒材を四角形状に連結したものである。スクリーンＳは、シルクやナイロン等の繊維を布状に織ったもので構成されており、印刷部分となるインキ通過部以外の部分をソルダレジストで覆ったもので構成されている。
【００３０】
一方、スクリーンインキ洗浄機ＳＷは、上記スクリーンＳを垂直に立てた状態で刷版Ｈを保持するクランプ４を備えている。クランプ４は、図１に示すように、下側の枠材Ｆを保持する断面コ字状の保持レール４ａと、枠材Ｆを保持レール４ａの一方の内側面に押し付けて固定するための複数のネジ４ｂと、このネジ４ｂによって枠材Ｆに傷が付くのを防止するためのあて板４ｃを備えている。また、保持レール４ａは、床板等に水平に設置される基礎板５に、脚部４ｄを介して水平に保持されている。そして、クランプ４は、枠材Ｆの裏面を保持レール４ａの一方の内側面に押し付けることにより、スクリーンＳの位置を決めるようになっている。
【００３１】
基礎板５上には、図５に示すように、クランプ４の左右の位置に、保持レール４ａと平行に配置された水平レール６が設けられている。各水平レール６は、断面がコ字状に形成されており、その溝の部分を互いに向き合わせるようにして基礎板５に固定されている。そして、左右の水平レール６には、その溝に移動自在に嵌められたローラ７ａを介して下側水平移動板（同一の横方向移動手段）７が掛け渡されている。
【００３２】
下側水平移動板７には、４本の垂直レール８が立設されており、これらの垂直レール８の上端部には上側水平移動板９が固定されている。垂直レール８は、クランプ４の一方の側及び他方の側にそれぞれ２本ずつ設けられている。なお、この実施例においては、クランプ４の一方の側にスクリーンＳの表面Ｓ１を向けるようになっている。
【００３３】
スクリーンＳの表面Ｓ１側の２本の垂直レール８は、互いに平行に保持されていると共に、スクリーンＳから等しい位置に配置されている。また、スクリーンＳの裏面Ｓ２側の２本の垂直レール８も、互いに平行に保持されていると共に、スクリーンＳから等しい位置に配置されている。そして、スクリーンＳの表面Ｓ１側及び裏面Ｓ２側の垂直レール８には、それぞれ垂直移動板１０が設けられている。各垂直移動板１０は、各垂直レール８に沿って移動することにより、スクリーンＳに対して上下方向に平行に移動するようになっている。また、各垂直移動板１０は、下側水平移動板７が水平レール６に沿って移動することによって、スクリーンＳに対して水平方向に平行に移動するようになっている。
【００３４】
また、基礎板５には、下側水平移動板６を移動させるための水平移動機構１１が設けられている。水平移動機構１１は、一方の水平レール６の長手方向の両側に位置し、基礎板５上に固定されたブラケット１１ａ、１１ａと、各ブラケット１１ａに回転自在に取り付けられたスプロケット１１ｂと、これらのスプロケット１１ｂに巻回され、かつ各端部が下側水平移動板７に連結された水平駆動チェーン１１ｃと、一方のスプロケット１１ｂの回転軸に取り付けられたクランクハンドル１１ｄとを備えている。即ち、水平移動機構１１は、クランクハンドル１１ｄを手動で回すことによって、スプロケット１１ｂ及び水平駆動チェーン１１ｃを介して、下側水平移動板７を移動することができるようになっている。
【００３５】
一方、２つの垂直移動板１０は、垂直移動機構１２によって、同時に上下方向に移動することができるようになっている。垂直移動機構１２は、下側水平移動板７上に設けられた２つのブラケット１２ａ、１２ａと、各ブラケット１２ａに回転自在に取り付けられたスプロケット１２ｂと、上側水平移動板９上に設けられた２つのブラケット１２ｃ、１２ｃと、これらのブラケット１２ｃ、１２ｃによって回転自在に保持された回転軸（同一の縦方向移動手段）１２ｄと、この回転軸１２ｄに同軸状に取り付けられ、上記各スプロケット１２ｂの真上位置に配置されたスプロケット１２ｅ、１２ｅと、表面Ｓ１側及び裏面Ｓ２側に位置する上下のスプロケット１２ｂ、１２ｅにそれぞれ巻回され、かつ各端部が垂直移動板１０の上端部及び下端部に連結された垂直駆動チェーン１２ｆと、回転軸１２ｄに取り付けられたクランクハンドル１２ｇとを備えている。
【００３６】
スクリーンＳの表面Ｓ１側に位置する一方の組みのスプロケット１２ｂ、１２ｅは、同表面Ｓ１側における２本の垂直レール８の間のほぼ中央部に配置されている。また、スクリーンＳの裏面Ｓ２側に位置する他方の組みのスプロケット１２ｂ、１２ｅは、同裏面Ｓ２側における２本の垂直レール８の間のほぼ中央部に配置されている。
【００３７】
そして、上記垂直移動機構１２は、クランクハンドル１２ｇを手動で回すことによって、回転軸１２ｄを介して上側のスプロケット１２ｅ、１２ｅが同時に回転し、垂直駆動チェーン１２ｆを介して、垂直移動板１０を上下方向に移動することができるようになっている。
【００３８】
また、垂直移動板１０には、図１及び図２に示すように、その下端部に、容器２を載置するための棚部１０ａが形成されている。なお、容器２は、各垂直移動板１０に２つずつ設けられている。そして、少なくとも一方の垂直移動板１０に設けられた容器２同士も連結管２ａによって連結されている。連結管２ａは、フレキシブルホースによって構成されている。また、各容器２には、上部空間部を大気に開放するための空気抜き管２ｂが設けられている。
【００３９】
一方、各垂直移動板１０の上側の部分には、洗浄ヘッド１をスクリーンＳに対して離接する方向に駆動する洗浄ヘッド駆動機構１４が設けられている。洗浄ヘッド駆動機構１４は、エアシリンダ１４ａと、ローラガイド１４ｂと、洗浄ヘッド１を保持する保持棒１４ｃとを備えている。
【００４０】
保持棒１４ｃは、ローラガイド１４ｂによって移動自在に支持されていると共に、エアシリンダ１４ａによって駆動されるようになっている。即ち、保持棒１４ｃは、エアシリンダ１４ａの駆動力によって、洗浄ヘッド１をスクリーンＳに対して離接する方向に移動するようになっている。
【００４１】
洗浄ヘッド１は、図３及び図４に示すように、四角形状の基板１ｂと、基板１ｂのスクリーンＳを向く面の周囲に配置される四角形の枠状の薄板パッキン１ｃと、同薄板パッキン１ｃとほぼ同一の薄板形状のもので形成され、薄板パッキン１ｃを挟むようにして基板１ｂにネジ１５で固定される摺動板１ｄを備えている。
【００４２】
薄板パッキン１ｃ及び摺動板１ｄの内側下辺は、その中央部１ｅが最も低くなるようにＶ字状に形成されている。また、薄板パッキン１ｃは、有機溶剤などの洗浄剤Ｌに対して耐久性のあるブチルゴム等の材料によって形成されていると共に、摺動板１ｄがスクリーンＳに当接する際のクッション材となるような弾性を有する材料によって形成されている。一方、摺動板１ｄは、スクリーンＳに当接する面が鏡面仕上げ等によって極めて滑らかに形成されている。また、ネジ１５の頭部が摺動板１ｄからスクリーンＳ側に突出しないようになっている。
【００４３】
上述した洗浄部１ａは、薄板パッキン１ｃ及び摺動板１ｄの内側の部分によって一定の深さに形成されている。この洗浄部１ａは、洗浄剤Ｌが充満しやすくするため、できるだけ浅く形成（例えば１ｍｍ〜１０ｍｍ程度に形成）することが好ましい。また、基板１ｂには、洗浄部１ａの下端部（上記中央部１ｅの近傍位置）に連通する配管１６が接続されていると共に、洗浄部１ａの上端部に連通する配管１７が接続されている。更に、基板１ｂは連結板１ｆを介してネジ１５により保持棒１４ｃに連結されている。
【００４４】
配管１６は、図１及び図２に示すように、２つの容器２に接続されており、これらの容器２内の洗浄剤Ｌを洗浄部１ａに供給するための流路を構成するようになっている。また、配管１７は、上述したポンプ３を介して各容器２に接続されており、洗浄部１ａでスクリーンＳの洗浄に使われた洗浄剤Ｌを各容器２に戻すための流路を構成するようになっている。ポンプ３は、いわゆる真空ポンプによって構成されており、エアーモータによって駆動されるようになっている。
【００４５】
また、配管１６の途中には、図１、図２、図５に示すように、切換弁１８が設けられている。切換弁１８は、外気ポート１８ａを有するもので構成されており、容器２内の洗浄液Ｌと洗浄部１ａとを接続状態にしたり、外気ポート１８ａと洗浄部１ａとを接続状態にしたりすることが可能になっている。
【００４６】
一方、配管１７には、ポンプ３と容器２との間に、フィルタ１９が設けられている。フィルタ１９は、インキで汚れた洗浄剤を濾過して各容器２に戻すようになっている。
【００４７】
また、図１、図２、図５において、２０は洗浄ヘッド１の左右に配置された乾燥用空気吹出管である。この乾燥用空気吹出管２０は、図示しない配管及び制御弁に接続されており、例えばポンプ３の駆動と同時に空気をスクリーンＳに吹き付けることによって、洗浄後にスクリーンＳに付着した洗浄剤Ｌを乾燥させようになっている。更に、図５において、２１は空圧操作箱、２２はポンプ３を操作する（例えばポンプ３を駆動するエアーモータのＯＮ、ＯＦＦの切換を行う）ポンプ操作ハンドル、２３はエアシリンダ１４ａの伸縮を操作するシリンダ操作ハンドルである。また、２４は、ポンプ３を駆動するエアーモータや、エアシリンダ１４ａや、乾燥用空気吹出管２０等に接続されるエアー配管類である。更に、２５は、洗浄部透明カバーであり、２６は換気用配管接続口である。
【００４８】
次に、上記スクリーンインキ洗浄機ＳＷの使用方法を説明する。まず、スクリーンＳ上のインキをヘラ等で取り除いた後、刷版Ｈをクランプ４に固定する。この際、スクリーンＳの表面Ｓ１がクランプ４の一方の側（スクリーンインキ洗浄機ＳＷの正面側）を向くようにする。これにより、スクリーンＳはスクリーンインキ洗浄機ＳＷにおける正規の位置に設置された状態になる。そこで、エアシリンダ１４ａを伸ばして、洗浄ヘッド１をスクリーンＳに当接させる。そうすると、スクリーンＳは、表面Ｓ１側及び裏面Ｓ２側から洗浄ヘッド１によって挟まれた状態になる。
【００４９】
そこで、ポンプ３を駆動すると、洗浄部１ａが負圧になるため、各洗浄ヘッド１の摺動板１ｄがスクリーンＳに吸着した状態になると共に、各容器２内の洗浄剤Ｌが洗浄部１ａに吸い上げられることになる。この際、洗浄剤Ｌは、洗浄部１ａに充満した状態になってスクリーンＳの表面Ｓ１又は裏面Ｓ２の洗浄に使われた後、ポンプ３及びフィルタ１９を介して再び容器２に戻ることになる。
【００５０】
そこで、ポンプ３の作動中に、クランクハンドル１１ｄを用いて垂直移動板１０を水平方向に移動したり、クランクハンドル１２ｇを用いて垂直移動板１０を垂直方向に移動したりすることにより、洗浄ヘッド１をスクリーンＳの任意の位置に移動して、同スクリーンＳの特にインキの付着した部分をきれいに洗浄する。また、洗浄ヘッド１の移動時に乾燥用空気吹出管２０から空気を吹き付けることにより、洗浄剤Ｌで濡れたスクリーンＳの面を乾燥させる。
【００５１】
従って、上記スクリーンインキ洗浄機ＳＷによれば、刷版Ｈが大きなものであっても、そのスクリーンＳに付着したインキを簡単に、かつきれいに取り除くことができる。よって、洗浄作業の省力化を図ることができる。
【００５２】
しかも、ポンプ３によって生じた負圧によって洗浄剤Lを洗浄部１ａに供給しているので、洗浄剤Ｌが洗浄部１ａから大気側に漏れるおそれが極めて少ない。従って、洗浄部１ａから漏れる洗浄剤Ｌによって、作業環境が悪化したり、火災の危険が生じたりするのを防止する能力が向上する。ただし、スクリーンＳに濡れた状態で残った洗浄剤Ｌが乾燥により外に流出することになる。しかし、洗浄部分が洗浄部透明カバー２５で覆われており、この洗浄部透明カバー２５には換気用配管接続口２６が設けられているので、洗浄剤Ｌが乾燥によって外に流出しても、作業環境が悪化したり、火災の危険が生じたりするのを防止することができる。
【００５３】
更に、スクリーンＳの面を垂直に立てた状態で、同スクリーンＳの面を洗浄することができるので、設置面積の低減を図ることができる。そして、スクリーンＳの面を洗浄するのに必要十分な洗浄剤Ｌを洗浄部１ａに供給するだけでよいので、洗浄剤Ｌの使用量の低減を図ることができる。
【００５４】
また更に、洗浄ヘッド１がスクリーンＳの表面Ｓ１側及び裏面Ｓ２側に配置されているので、スクリーンＳの表面Ｓ１と裏面Ｓ２とを同時に洗浄することができる。従って、洗浄時間の短縮を図ることができる。しかも、洗浄時に、スクリーンＳにおけるインキの通過する部分から空気を吸い込むことがなくなるので、洗浄部の負圧を一定に保つことができ、洗浄ムラが生じるのを防止することができる。更に、洗浄ヘッド１からスクリーンＳの表面Ｓ１及び裏面Ｓ２に作用する押圧力が釣り合うと共に、洗浄部１ａからスクリーンSの表面Ｓ１及び裏面Ｓ２に作用する吸引圧力が釣り合うので、スクリーンＳに無理な力が作用するのを防止することができる。
【００５５】
そして、容器２、ポンプ３、フィルタ１９等がスクリーンＳの表面Ｓ１側及び裏面Ｓ２側の洗浄ヘッド１に個々に設けられているので、スクリーンＳの表面Ｓ１側の垂直移動板１０に作用する洗浄ヘッド１、容器２、ポンプ３等の合計重量と、スクリーンＳの裏面Ｓ２側の垂直移動板１０に作用する洗浄ヘッド１、容器２、ポンプ３等の合計重量とが等しくなる。従って、表面Ｓ１側及び裏面Ｓ２側の各洗浄ヘッド１をスクリーンＳに沿ってバランスよく移動させることができる。
【００５６】
しかも、表面Ｓ１側及び裏面Ｓ２側の各垂直移動板１０を、一つの下側水平移動板７を介して水平方向（横方向）に移動するように構成し、かつ一つの回転軸１２ｄを介して垂直方向（縦方向）に移動するように構成しているので、各垂直移動板１０に設けられた表面Ｓ１側及び裏面Ｓ２側の各洗浄ヘッド１を機械的に完全に同期させて移動することができる。なお、下側水平移動板７及び回転軸１２ｄを同時に作動させることによって、各洗浄ヘッド１を、斜めに移動させたり、曲線を描くように移動させたりすることもできる。即ち、スクリーンＳにおける洗浄に必要な部分を効率良く洗浄することができる。
【００５７】
そして更に、スクリーンＳの表面Ｓ１側及び裏面Ｓ２側の各容器２内及び隣接する容器２内の洗浄剤Ｌの移動を可能にする連結管２ａを設けているので、特定の容器２の洗浄剤Ｌの使用量が多い場合でも、これらの容器２の洗浄剤Ｌの液面レベルを等しく保つことができる。従って、例えば特定の容器２内の洗浄剤Ｌがなくなることによって、洗浄が中断されてしまうような不具合を防止することができる。
【００５８】
また、ポンプ３をスクリーンＳの表面Ｓ１側及び裏面Ｓ２側に個々に設けているので、スクリーンＳの表面Ｓ１側の洗浄ヘッド１の吸引圧力を裏面Ｓ２側の洗浄ヘッド１の吸引圧力より低く設定することができる。そして、この場合には、表面Ｓ１側の洗浄ヘッド１ａへの洗浄剤Ｌの供給量が多くなり、裏面Ｓ２側の洗浄ヘッド１への洗浄剤Ｌの供給量が少なくなるので、インキの付着の多いスクリーンＳの表面Ｓ１を多くの洗浄剤Ｌにより能率よく洗浄することができ、インキの付着の少ないスクリーンＳの裏面Ｓ２を少ない洗浄剤Ｌにより無駄なく洗浄することができる。即ち、洗浄速度の向上及び洗浄コストの低減を図ることができる。
【００５９】
更に、表面Ｓ１側の吸引圧力が低く設定されているので、汚れの少ない裏面Ｓ２側の洗浄剤Ｌがインキの通過可能な部分を通って表面Ｓ１側に流入することになる。即ち、汚れの多い表面Ｓ１側の洗浄剤Ｌがインキの通過可能な部分を通って裏面Ｓ２側に流れるのを防止することができる。従って、裏面Ｓ２側の洗浄剤が汚れるのを防止することができると共に、この裏面Ｓ２側の汚れの少ない洗浄剤ＬによってスクリーンＳにおけるインキ通過部分をきれいに洗浄することができる。即ち、特に洗浄を要するスクリーンＳのインキ通過部分をきれいに洗浄することができる点で優れている。
【００６０】
また、外気ポート１８ａが切換弁１８を介して洗浄ヘッド１に接続可能になっているので、洗浄が終わった時点で、外気ポート１８ａを洗浄ヘッド１に接続することにより、配管１６、１７や洗浄部１ａ、フィルタ１９等に溜まった洗浄剤Ｌをすべて容器２に回収することができる。
【００６１】
更に、洗浄ヘッド１の移動時に乾燥用空気吹出管２０から空気を吹き付けることにより、洗浄剤Ｌで濡れたスクリーンＳの面を即座に乾燥させることができる。従って、この点からも洗浄速度の向上を図ることができる。
【００６２】
次に、この発明の第２実施例を図６を参照して説明する。ただし、第１実施例に示す構成要素と共通する要素には同一の符号を付し、その説明を簡略化する。この第２実施例が第１実施例と異なる点は、配管１７に圧力調整弁３１、微少圧力調整弁３２及びフロースイッチ３３を設けている点である。
【００６３】
即ち、配管１７には、洗浄ヘッド１とポンプ３との間に、圧力調整弁３１及び微少圧力調整弁３２が設けられている。これらの圧力調整弁３１、３２は、大気を吸引する量を調整することによって、洗浄ヘッド１の吸引圧力（真空度）を調整するようになっている。ただし、微少圧力調整弁３２は吸引圧力の微調整が可能になっている。
【００６４】
一方、フロースイッチ３３は、洗浄液Ｌが流れていることを確認するために設けられている。
【００６５】
また、切換弁１８の外気ポート１８ａは配管３４を介して容器２の上部空間部に連通している。容器２は、スクリーンの表面側及び裏面側にそれぞれ一つずつ設けたもので構成されている。更に、洗浄ヘッド１は、円形状のもので構成されている。ただし、スクリーンを隅々まで洗浄する上では、洗浄ヘッド１を第１実施例で示したような四角形状のもので構成することが好ましい。
【００６６】
上記のように構成されたスクリーンインキ洗浄機ＳＷにおいては、スクリーンの表面側及び裏面側における配管１７に圧力調整弁３１、微少圧力調整弁３２が設けられているので、表面側及び裏面側の各洗浄ヘッド１の洗浄部の吸引圧力を正確に調整することができる。
【００６７】
次に、この発明の第３実施例を図７〜図１０を参照して説明する。ただし、第１実施例に示す構成要素と共通する要素には同一の符号を付し、その説明を簡略化する。この第３実施例が第１実施例と異なる点は、垂直移動板１０の水平方向の移動及び垂直方向の移動等をすべて自動で行うようになっている点である。
【００６８】
即ち、図７〜図１０において、４１は制御装置、４２は操作ボックス、４３は作動・警報表示灯群、４４は第１実施例の手動式のクランクハンドル１１ｄに代えて設けた水平方向移動用モータ、４５は第１実施例の手動式のクランクハンドル１２ｇに代えて設けた垂直方向移動用モータ、４６は水平レール６に沿って移動する部分、例えば下側水平移動板７の水平方向の移動限界を検知するセンサであり、４７は同下側水平移動板７の水平方向における洗浄開始位置を検知するセンサである。なお、図７〜図１０においては、第１実施例で示した構成要素、例えばクランプ４等を適宜省略し、第３実施例で特に特徴のあるものを示した。
【００６９】
上記のように構成されたスクリーンインキ洗浄機ＳＷにおいては、刷版Ｈを設置後、操作ボックス４２のボタンを押すだけで、スクリーンＳの洗浄を全自動で行うことができる。従って、極めて簡単にスクリーンＳを洗浄することができる。
【００７１】
【発明の効果】
請求項１記載の発明においては、スクリーン（Ｓ）上の余分なインキをヘラ等で取り除いた後、洗浄ヘッド（１）をスクリーン（Ｓ）に接触させる。この状態で、ポンプ（３）で吸引すると、洗浄部（１ａ）が負圧になるため、洗浄ヘッド（１）とスクリーン（Ｓ）とが吸着した状態になると共に、容器（２）に蓄えられた洗浄剤（Ｌ）が洗浄部（１ａ）に吸い上げられ、同洗浄部（１ａ）を通ってポンプ（３）へと流れる。このため、ポンプ（３）の稼働中に、洗浄ヘッド（１）をスクリーン（Ｓ）に沿って移動することにより、その移動した部分のインキを洗浄部（１ａ）に充満しながら流れ去る洗浄剤（Ｌ）できれいに洗い流すことができる。従って、大きな刷版（Ｈ）であっても、そのスクリーン（Ｓ）に付着したインキを簡単に、かつきれいに取り除くことができる。よって、洗浄作業の省力化を図ることができる。
【００７２】
しかも、ポンプ（３）によって生じた負圧によって洗浄剤（Ｌ）を洗浄部（１ａ）に供給しているので、この洗浄剤（Ｌ）が洗浄部（１ａ）の位置で大気側に漏れるおそれが極めて少ない。従って、洗浄剤（Ｌ）によって、作業環境が悪化したり、火災の危険が生じたりするのを防止する能力が向上する。即ち、作業環境の向上及び防火性の向上を図ることができる。
【００７３】
更に、スクリーン（Ｓ）の面を垂直に立てた状態で、同スクリーン（Ｓ）の面を洗浄することができるので、設置面積の低減を図ることができる。そして、スクリーン（Ｓ）の面を洗浄するのに必要十分な洗浄剤（Ｌ）を洗浄部（１ａ）に供給するだけでよいので、洗浄剤（Ｌ）の使用量の低減を図ることができる。
【００７５】
また、洗浄ヘッド（１）がインキを乗せるスクリーン（Ｓ）の表面（Ｓ１）側と、同スクリーン（Ｓ）の裏面（Ｓ２）側とに配置されているので、スクリーン（Ｓ）の表面（Ｓ１）と裏面（Ｓ２）とを同時に洗浄することができる。従って、洗浄時間の短縮を図ることができる。しかも、洗浄時に、スクリーン（Ｓ）におけるインキの通過する部分から空気を吸い込むことがなくなるので、洗浄部（１ａ）の負圧を一定に保つことができ、洗浄ムラが生じるのを防止することができる。更に、洗浄ヘッド（１）からスクリーン（Ｓ）の表面（Ｓ１）及び裏面（Ｓ２）に作用する押圧力が釣り合うと共に、洗浄部（１ａ）からスクリーン（Ｓ）の表面（Ｓ１）及び裏面（Ｓ２）に作用する吸引圧力が釣り合うので、スクリーン（Ｓ）に無理な力が作用しなくなるという利点がある。
【００７６】
請求項３記載の発明においては、容器（２）及びポンプ（３）がスクリーン（Ｓ）の表面（Ｓ１）側及び裏面（Ｓ２）側の洗浄ヘッド（１）に個々に設けられているので、スクリーン（Ｓ）の表面（Ｓ１）側における洗浄ヘッド（１）、容器（２）及びポンプ（３）の合計重量と、同スクリーン（Ｓ）の裏面（Ｓ２）側における洗浄ヘッド（１）、容器（２）及びポンプ（３）の合計重量とをバランスさせることができる。従って、表面（Ｓ１）側及び裏面（Ｓ２）側の各洗浄ヘッド（１）をスクリーン（Ｓ）に沿ってバランスよく移動させることができる。
【００７７】
請求項４記載の発明においては、スクリーン（Ｓ）の表面（Ｓ１）側及び裏面（Ｓ２）側の各容器（２）内の洗浄剤（Ｌ）の移動を可能にする流路（２ａ）を設けているので、一方の容器（２）の洗浄剤（Ｌ）の使用量が多い場合でも、これらの容器（２）の洗浄剤（Ｌ）の液面を同じように保つことができる。従って、一方の容器（２）内の洗浄剤（Ｌ）がなくなることによって、洗浄が中断されてしまうような不具合を防止することができる。
【００７８】
請求項２または５記載の発明においては、スクリーン（Ｓ）の表面（Ｓ１）側の洗浄ヘッド（１）の吸引圧力を裏面（Ｓ２）側の洗浄ヘッド（１）の吸引圧力より低く設定しているので、表面（Ｓ１）側の洗浄ヘッド（１）への洗浄剤（Ｌ）の供給量が多くなり、裏面（Ｓ２）側の洗浄ヘッド（１）への洗浄剤（Ｌ）の供給量が少なくなる。従って、インキの付着の多いスクリーン（Ｓ）の表面（Ｓ１）を多くの洗浄剤（Ｌ）により能率よく洗浄することができ、インキの付着の少ないスクリーン（Ｓ）の裏面（Ｓ２）を少ない洗浄剤（Ｌ）により無駄なく洗浄することができる。即ち、洗浄速度の向上及び洗浄コストの低減を図ることができる。
【００７９】
更に、表面（Ｓ１）側の吸引圧力が低く設定されているので、汚れの少ない裏面（Ｓ２）側の洗浄剤（Ｌ）がインキの通過可能な部分を通って表面（Ｓ１）側に流入することになる。即ち、汚れの多い表面（Ｓ１）側の洗浄剤（Ｌ）がインキの通過可能な部分を通って裏面（Ｓ２）側に流れるのを防止することができる。従って、裏面（Ｓ２）側の洗浄剤（Ｌ）が汚れるのを防止することができると共に、この裏面（Ｓ２）側の汚れの少ない洗浄剤（Ｌ）によってスクリーン（Ｓ）における特に重要なインキ通過部分をきれいに洗浄することができる。
【００８０】
請求項６記載の発明においては、スクリーン（Ｓ）の表面（Ｓ１）側及び裏面（Ｓ２）側の各洗浄ヘッド（１）を、同一の横方向移動手段（７）を介して横方向に移動し、かつ同一の縦方向移動手段（１２ｄ）を介して縦方向に移動することができるので、各洗浄ヘッド（１）を完全に同期させながら横方向（左右方向）及び縦方向（上下方向）に移動することができる。なお、横方向移動手段（７）及び縦方向移動手段（１２ｄ）を同時に作動させることによって、各洗浄ヘッド（１）を、斜めに移動させたり、曲線を描くように移動させたりすることもできる。即ち、スクリーン（Ｓ）における洗浄に必要な部分を効率良く洗浄することができる。
【図面の簡単な説明】
【図１】この発明の第１実施例として示したスクリーンインキ洗浄機の要部側面図である。
【図２】同スクリーンインキ洗浄機の要部正面図である。
【図３】同スクリーンインキ洗浄機における洗浄ヘッドを示す分解斜視図である。
【図４】同スクリーンインキ洗浄機における対向する２つの洗浄ヘッドを示す斜視図である。
【図５】同スクリーンインキ洗浄機の外観を示す斜視図である。
【図６】この発明の第２実施例として示したスクリーンインキ洗浄機の説明図である。
【図７】この発明の第３実施例として示したスクリーンインキ洗浄機の外観斜視図である。
【図８】同スクリーンインキ洗浄機の正面図である。
【図９】同スクリーンインキ洗浄機の側面図である。
【図１０】同スクリーンインキ洗浄機の平面図である。
【符号の説明】
１  洗浄ヘッド
１ａ  洗浄部
２  容器
２ａ  流路（連結管）
３  ポンプ
７  下側水平移動板（横方向移動手段）
１２ｄ  回転軸（縦方向移動手段）
Ｈ  刷版
Ｌ  洗浄剤
Ｓ  スクリーン
Ｓ１  表面
Ｓ２  裏面
ＳＷ  スクリーンインキ洗浄機
【図１】
0004231153.tif 000002
【図２】
0004231153.tif 000003
【図３】
0004231153.tif 000004
【図４】
0004231153.tif 000005
【図５】
0004231153.tif 000006
【図６】
0004231153.tif 000007
【図７】
0004231153.tif 000008
【図８】
0004231153.tif 000009
【図９】
0004231153.tif 000010
【図１０】
0004231153.tif 000011